(57)【要約】    【課題】簡易な操作で、良好な画像形成が達成される画像形成装置を提供する。    【解決手段】お試しコピーでは、１部だけ出力される画像データには、識別符号追加部４によって、その全ての画像データに対してイエロードットコードが追加されている。画像データの差し替えの際には、１部だけ出力された用紙のうち、処理内容の変更を要するものを再度画像読取部１によって読取る。読取った画像データに含まれるイエロードットコードが識別符号認識処理部６によって認識されて、ＨＤＤ３に記憶されている画像データが認識される。その後、再度該当する原稿が読取られ、変更された出力条件に基づいて画像処理が施され、ＨＤＤ３において変更後の画像データと上記特定された画像データとが差し替えられる。【選択図】            図１
2005176086.tif 000002
【特許請求の範囲】
【請求項１】
原稿の内容を画像データとして読取る読取手段と、
上記読取手段によって読取られた画像データに、設定されている出力条件に基づいて画像処理を施す画像処理手段と、
上記画像処理手段によって画像処理が施された画像データをページ単位で記憶する画像データ記憶手段と、
上記画像処理手段によって画像処理が施された複数ページ分の画像データを１部出力するサンプル画像データ出力手段と、
設定されている出力条件を希望する出力条件に変更する出力条件変更手段と、
処理内容の変更を要する原稿を上記読取手段によって再度読取らせ、その画像データを上記画像処理手段によって上記変更された出力条件に基づいて画像処理を施させ、その処理後の画像データと上記画像データ記憶手段に記憶されている変更前の画像データとを差し替える差し替え手段と、
上記出力条件が変更されて画像処理が施された画像データを出力する変更画像データ出力手段と、
上記画像データ記憶手段に記憶されている複数ページ分の画像データを、要求された部数だけ出力する正規画像データ出力手段と、を有することを特徴とする画像形成装置。
【請求項２】
上記サンプル画像データ出力手段は、画像データに併せて、ページ毎に異なる識別符号を付して出力する識別符号付与手段を有し、
上記読取手段は、上記識別符号付与手段によって付与された識別符号を読取る機能を有し、
上記読取手段により識別符号が読取られたことに応じて、上記差し替え手段が上記画像データ記憶手段に記憶されている画像データのうちの当該識別符号に対応するページの画像データの差し替えを行うことを特徴とする請求項１に記載の画像形成装置。
【発明の詳細な説明】
【技術分野】
【０００１】
この発明は、画像形成装置に関する。
【背景技術】
【０００２】
従来から、読み取った画像データに画像処理を施し、その画像データをＨＤＤ等の大容量メモリに記憶しておくことのできる画像形成装置が広く利用されている。この画像形成装置では、画像処理後の画像データが記憶されているので、その画像データを繰り返し用いることが可能となり便利である。また、これらの画像形成装置の中には、記憶した画像データの一部を、新たに原稿を読取り画像処理を施した画像データと差し替えることができるものもある。このような画像形成装置では、画質の悪い画像データと画質の良い画像データとを差し替えることで、画質の良い画像データのみを記憶させておくことができる。
【０００３】
たとえば、特許文献１に開示された先行技術のように、画像形成装置内の記憶部において、管理番号を付して画像データを記憶させておき、操作パネルからその管理番号を入力することで、記憶されている画像データを指定し、その画像データと、新たに原稿を読取り画像処理を施した画像データとを差し替えて記憶させることができる画像形成装置が提案されている。
【特許文献１】特開２００１−３２２３２７号公報
【発明の開示】
【発明が解決しようとする課題】
【０００４】
ところで、画像形成装置の使用状況によっては、複数枚の原稿を読み取り、その内容を複数部数印刷する場合に、まず、１部数だけを印刷してその印刷内容を確認するといった試験的な印刷を行うこともある。このとき、原稿の中に、文字原稿や写真原稿が混在したり、大きさの異なる原稿が混在したりすると、一律の出力条件では、読取った全ての画像データに対して所望の画像処理を施すことは困難となり、その結果、画質の悪い画像データが複数ページ分記憶されることになる。このような場合は、該当する原稿ページを再度読み取り、その画像データに異なる出力条件で画像処理を施し、さらに、記憶されている画質の悪い画像データとその画像処理後の画像データとを差し替える必要がある。
【０００５】
しかしながら、上記特許文献１の画像形成装置では、このような場合にも、記憶されている画像データと、新たに原稿を読取り画像処理を施した画像データとを差し替えるために、逐一管理番号を入力して記憶されている画像データを指定せねばならず操作が煩雑になるという問題がある。
この発明は、かかる技術背景のもとになされたものであり、簡易な操作で、良好な画像形成が達成される画像形成装置を提供することを目的とする。
【課題を解決するための手段】
【０００６】
上記目的を達成するための請求項１記載の発明は、原稿の内容を画像データとして読取る読取手段（１）と、上記読取手段によって読取られた画像データに、設定されている出力条件に基づいて画像処理を施す画像処理手段（２）と、上記画像処理手段によって画像処理が施された画像データをページ単位で記憶する画像データ記憶手段（３）と、上記画像処理手段によって画像処理が施された複数ページ分の画像データを１部出力するサンプル画像データ出力手段（５，Ｓ１）と、設定されている出力条件を希望する出力条件に変更する出力条件変更手段と、処理内容の変更を要する原稿を上記読取手段によって再度読取らせ、その画像データを上記画像処理手段によって上記変更された出力条件に基づいて画像処理を施させ、その処理後の画像データと上記画像データ記憶手段に記憶されている変更前の画像データとを差し替える差し替え手段（３，Ｓ１２）と、上記出力条件が変更されて画像処理が施された画像データを出力する変更画像データ出力手段（５，Ｓ１１）と、上記画像データ記憶手段に記憶されている複数ページ分の画像データを、要求された部数だけ出力する正規画像データ出力手段（５，Ｓ１４）と、を有することを特徴とする画像形成装置である。
【０００７】
なお、括弧内の英数字は、後述の実施形態における対応構成要素などを表す。以下、この項において同じ。
この発明によれば、記憶されている複数ページの画像データを１部出力した後、その画像データのうち処理内容の変更を要するページの画像データは、出力条件を変更して新たに画像処理が施された画像データと差し替えられる。さらに、新たに画像処理が施されたページの画像データは出力される。これにより、記憶する各ページの画像データの全てに、それぞれのページに適した画像処理を施して所望の画像を得ることができる。そして、その画像データを要求された部数出力すれば、すべての画像データに対して所望の印刷結果を得ることができる。よって、たとえば、複数枚の原稿を読取ってその画像データを複数部出力する場合であって原稿の中に文字原稿や写真原稿が混在したり大きさの異なる原稿が混在したりしても、それぞれの画像データに対して所望の画像処理を施すことができ、無駄な印刷を行うことがない。
【０００８】
請求項２記載の発明は、上記サンプル画像データ出力手段（５，Ｓ１）は、画像データに併せて、ページ毎に異なる識別符号（７）を付して出力する識別符号付与手段（４）を有し、上記読取手段（１）は、上記識別符号付与手段によって付与された識別符号を読取る機能を有し、上記読取手段により識別符号が読取られたことに応じて、上記差し替え手段（３，Ｓ１２）が上記画像データ記憶手段（３）に記憶されている画像データのうちの当該識別符号に対応するページの画像データの差し替えを行うことを特徴とする請求項１に記載の画像形成装置である。
【０００９】
この発明によれば、記憶されている複数ページの画像データを１部出力するときに識別符号が付して出力される。そして、記憶されている画像データの中の任意のページの差し替えにおいては、この識別符号が読取られることで差し替えるべき画像データのページが特定される。これにより、差し替える画像データページが多くある場合でも、画像データの差し替えに際して煩雑な操作を伴うことがない。たとえば、画像形成装置の自動原稿送り装置に、識別符号が付与された用紙と再度読取りを必要とする原稿とを重ねてセットすれば、識別符号の読取りと原稿の読取りとが連続して行われるので、その操作を簡易なものとすることができる。
【００１０】
なお、この識別符号とは、たとえば、視認が困難なイエロードットで構成されるバーコード形状ものであったり、黒地のバーコードであったりする。
【発明を実施するための最良の形態】
【００１１】
以下では、この発明の実施の形態を、添付図面を参照して詳細に説明する。
図１は、この発明の一実施形態にかかる画像形成装置の電気的な構成を示すブロック図である。画像形成装置は、セットされた原稿を読取るための画像読取部１と、読取った画像データに２値化等の所定の画像処理を施す画像処理部２と、画像処理部２による処理後の画像データを記憶するＨＤＤ３と、ＨＤＤ３に記憶されている画像データを読出し、さらに、その画像データに所定の識別符号を追加する識別符号追加部４と、識別符号が追加された画像データまたはＨＤＤ３に記憶されている画像データ（識別符号が追加されていない画像データ）を出力する画像形成部５とを備える。なお、画像処理部２は、設定されている出力条件に応じて種々に画像処理を施す。この出力条件は、初期設定で予め定められており、図示しない操作パネルが操作されることによって種々に変更され得る。
【００１２】
画像読取部１は、図示しないコンタクトガラスを有していて、原稿をコンタクトガラス上に固定してその内容を読取るいわゆる原稿固定式読取機能と、原稿をコンタクトガラス上を移動させながらその内容を読取るいわゆる原稿移動式読取機能とを有している。つまり、ユーザは、この画像形成装置においては、状況に応じて原稿の読取方式を選択することができる。なお、以下の説明では、画像読取部１は、原稿の内容を原稿移動式読取機能によって読取るものとする。
【００１３】
また、画像形成装置は、画像読取部１で読取った画像データに、識別符号が含まれるか否かを認識する識別符号認識処理部６を備える。この画像形成装置は、画像処理を施した画像データを１部出力し、ユーザが印刷結果を確認した後、任意の部数だけその画像データを出力する機能（以下「お試しコピー」と称する）を備えている。このお試しコピーでは、画像処理を施した画像データを１部出力した結果、所望の印刷結果が得られなかった場合は、出力条件が変更されて、再度該当する原稿の内容が読取られる。そして、その画像データに変更後の出力条件に基づいて画像処理が施され、ＨＤＤ３において、新しく画像処理が施された画像データと、出力条件が変更される前の画像データとが差し替えられる。
【００１４】
このとき、上記１部だけ出力される画像データには、識別符号追加部４によって、その全ての画像データに対して識別符号が追加される。この実施形態では識別符号として、黄色地のドットで構成されるバーコード形状の符号であるイエロードットコード７が用いられる。
図２は、イエロードットコード７が用紙に出力された状態を簡略化して示す図である。このイエロードットコード７は、画像データの印字領域外の部分に追加されるものであり、この実施形態では用紙の左上に出力される。また、イエロードットコード７は、出力された場合には、視認が困難なものである。
【００１５】
ＨＤＤ３に記憶されている画像データは、ページ単位で記憶されており、イエロードットコード７は、そのページ単位の画像データごとに関連付けられているものである。より詳しくは、ＨＤＤ３は、ページ単位で画像データを記憶するためのアドレスを有しており、イエロードットコード７はこのアドレスに関連付けられている。すなわち、イエロードットコード７は、関連付けられるアドレスごとでそのドットの表示態様が異なる。
【００１６】
画像データの差し替えの際には、イエロードットコード７が追加されて画像データが出力された用紙のうち、処理内容の変更を要するものが再度画像読取部１によって読取られる。そして、読取った画像データに含まれるイエロードットコード７が識別符号認識処理部６によって認識される。なお、識別符号としては、識別符号認識処理部６が認識できるものであればよく、イエロードットコード７に限られない。たとえば、黒地のドットで構成されてもよいし、黒地のバーコードであってもよい。
【００１７】
識別符号認識処理部６は、イエロードットコード７のドットの表示態様を認識することで、ＨＤＤ３内のアドレスを認識する。それによって、そのアドレスに記憶されている画像データを認識することになる。その後、再度該当する原稿が読取られ、変更された出力条件に基づいて画像処理が施され、ＨＤＤ３において、その変更後の画像データと認識された画像データとが差し替えられる。
【００１８】
たとえば、写真原稿の画像データに、２値化処理またはエッジ強調処理がされている場合に、その処理された画像データは、中間調処理された画像データに差し替えられる。また、Ａ４サイズの原稿の中にＢ５サイズの原稿が含まれる原稿束が読取られた場合は、Ｂ５サイズの原稿の画像データは、Ａ４サイズに拡大処理された画像データに差し替えられる。さらには、濃度の薄い画像データは、濃度の濃い画像データに差し替えられる。
【００１９】
これにより、ＨＤＤ３内に所望の画像処理が施された画像データのみを記憶させることができる。よって、画像データを任意の部数だけ出力した場合に、すべての画像データに対して所望の印刷結果が得られる。
図３は、画像形成装置におけるお試しコピー中の制御手順を示すフローチャートであり、図４は、イエロードットコード７が出力された用紙束の一例を簡略化して示す図である。以下、図３のフローチャートを用いて、お試しコピーについてさらに説明する。
【００２０】
ユーザにより複数枚の原稿が画像形成装置にセットされて、操作パネルにおいて、出力部数およびお試しコピーの開始が指示されると、まず、その複数枚の原稿の内容が、画像読取部１によって読取られる。読取られた画像データは、画像処理部２によって予め設定されている出力条件に基づいて画像処理が行われ、さらに、識別符号追加部４によって、異なったイエロードットコード７がそれぞれの画像データごとに追加されて、画像形成部５によって１部だけ用紙に出力される（ステップＳ１、Ｓ２；図４参照）。同時に、ＨＤＤ３の複数のアドレスにその画像データがページ単位で記憶される（ステップＳ３）。そして、ユーザからの指示に応じるため待機状態とされる（ステップＳ４）。このとき、上記のように、このアドレスそれぞれと画像データに追加されたイエロードットコード７のそれぞれとが関連付けられている。
【００２１】
なお、出力条件には、濃度や倍率の設定が含まれ、操作パネルによってその都度設定値が変更され得る。また、出力条件は当初は初期設定状態とされており、操作パネルが操作されない限りその初期設定状態が変更されることはない。よって、上記の画像データは、初期設定に基づいて画像処理が行われている。
画像データが出力された用紙をユーザが確認した結果、所望の印刷結果でない用紙（以下、単に「印刷紙」と称する。）が存在する場合は、ユーザによって操作パネルが操作されて、画像データの差し替えの指示がされる（ステップＳ５でＹＥＳ）。そして、操作パネルにおいて、出力条件の入力画面が表示され（ステップＳ６）、同時に、原稿のセットが要求される（ステップＳ７）。
【００２２】
ユーザは、上記の要求に応じて、印刷紙とその原稿を、印刷紙の内容が最初に読取られるように画像形成装置の自動原稿送り装置にセットし、操作パネルにおいて所望の出力条件を入力して出力条件の設定変更を行う。操作パネルが操作されて原稿の読取りの指示がされると（ステップＳ８でＹＥＳ）、まず、印刷紙が画像読取部１によって読取られて、その画像データにふくまれるイエロードットコード７のデータが識別符号認識処理部６によって判別される(ステップＳ９)。そして、その判別の結果、識別符合認識処理部６によってＨＤＤ３内のアドレスが認識されて、そのアドレスに記憶されている画像データが認識される（ステップＳ１０）。そして、セットされている原稿が画像読取部１によって読取られると、その画像データは、画像処理部２によって、ステップＳ６で設定変更された出力条件に基づいて画像処理が施され、画像形成部５によって出力される（ステップＳ１１）。同時に、ＨＤＤ３において、ステップＳ１０で認識された画像データと、新たに画像処理が施された画像データとが差し替えられる（ステップＳ１２）。その後は、ユーザによって画像データの差し替え指示がされるたびに上記の動作が繰り返される(ステップＳ５→Ｓ６→Ｓ７→Ｓ８→Ｓ９→Ｓ１０→Ｓ１１→Ｓ１２の繰り返し)。これにより、ＨＤＤ３に記憶されている画像データの全てに所望の画像処理が施されることになる。
【００２３】
ユーザによって、画像データの差し替えの指示がされず（ステップＳ５でＮＯ）、出力の指示がされると(ステップＳ１３でＹＥＳ)、ＨＤＤ３に記憶されている画像データが要求された部数だけ出力される（ステップＳ１４）。上記の動作により、全ての画像データに対して所望の画像処理が施されているので、ステップＳ１４で正規に画像データが出力された場合には、全ての印刷結果が良好なものとなる。
【００２４】
この実施形態では、記憶されている画像データを差し替える際に、画像形成装置の自動原稿送り装置に印刷紙と原稿とを重ねてセットすることでイエロードットコード７の認識と原稿の読取りとが連続して行われるので、画像データの差し替えに関する操作を簡易なものとすることができる。
また、上記の実施例では、印刷紙と原稿を重ねてセットしたが、処理内容の変更を要する印刷紙と全ての原稿がセットされる構成であってもよい。この場合、印刷紙とその印刷紙の識別コードに該当する原稿のみが読取られ、他の原稿はその内容が読取られず空送りされる。その他の作用は、上記実施形態と同様である。このようにすれば、全原稿の中から出力設定を変更したい原稿を引き抜く必要がないので、画像データの差し替えに関する操作をさらに簡易なものとすることができる。
【００２５】
この発明は、以上説明した実施形態に限定されるものではなく、請求項記載の範囲内において種々の変更が可能である。
【図面の簡単な説明】
【００２６】
【図１】この発明の一実施形態にかかる画像形成装置の電気的な構成を示すブロック図である。
【図２】イエロードットが用紙に出力された状態を簡略化して示す図である。
【図３】画像形成装置におけるお試しコピー中の制御手順を示すフローチャートである。
【図４】イエロードットが出力された用紙束の一例を簡略化して示す図である。
【符号の説明】
【００２７】
１    画像読取部
２    画像処理部
３    ＨＤＤ
４    識別符号追加部
５    画像形成部
６    識別符号認識処理部
７    イエロードットコード
【図１】
2005176086.tif 000003
【図２】
2005176086.tif 000004
【図３】
2005176086.tif 000005
【図４】
2005176086.tif 000006